(57)【要約】【課題】ノズルの取り付けを簡単にすること。【解決手段】ノズル１０は、中空構造の胴体１２と筒体１４を備え、胴体１２には、液体導入管を連結するための連結部１８が形成され、筒体１４の円筒部１４ａの外周面には、ねじ部２６が形成され、尖頭部１４ｂには、噴射口２４が形成されている。ノズル１０をブラケット２２に取り付けるに際して、ブラケット２２の取り付け穴２２ａ内に筒体１４を挿入しながら、ねじ部２６を取り付け穴２２ａのねじ部に噛み合せ、この状態で、胴体１２の環状面２０がブラケット２２の表面に密着するまで、工具で胴体１２を回すと、ノズル１０がブラケット２２に取り付けられて固定される。【選択図】図１
0003136215.tif 000002
【実用新案登録請求の範囲】
【請求項１】
中空構造の流体流路を形成する胴体と、前記胴体に併設された筒体とを備え、
前記胴体には、前記流体流路に連なる流体導入口が形成され、
前記筒体には、前記胴体の流体流路に導入された流体を噴射するための噴射口が形成され、
前記筒体外周面には、環状のねじ部が形成されてなるノズル。
【請求項２】
請求項１に記載のノズルにおいて、前記胴体のうち前記筒体に隣接する部位は、前記筒体よりも径の大きい大径部として形成され、前記大径部のうち前記筒体との境界に位置する環状面は、前記胴体を取り付け対象に取り付けるときの取り付け面として形成されてなることを特徴とするノズル。
【考案の詳細な説明】
【技術分野】
【０００１】
本考案は、流体を噴射するノズルに係り、特に、流体供給管からの流体を噴射口から噴射するに好適なノズルに関する。
【背景技術】
【０００２】
従来、ノズルとして、例えば、電気部品などの製造工程において、現像液、エッチング液、剥離液、洗浄液などの流体を噴霧するために、液体供給配管から供給される流体を噴霧するように構成されたスプレーノズルが知られている（特開２００２−３７００５１号公報参照）。
【０００３】
このスプレーノズルは、液体供給配管から供給される液体をアダプタを介してノズル本体に流入し、流入された液体をノズル本体から噴霧対象に噴霧することができる。
【考案の開示】
【考案が解決しようとする課題】
【０００４】
しかし、従来技術では、ノズル本体に液体を流入するに際して、ノズル本体を弾性ゴムパッキンを介してアダプタに取り付け、アダプタを液体供給配管に取り付ける構造を採用しているので、ノズルの取付にアダプタが必要になるとともに、ノズルの取り付け作業が面倒である。
【０００５】
本考案は、前記従来技術の課題に鑑みて為されたものであり、その目的は、ノズルの取り付けを簡単にすることにある。
【課題を解決するための手段】
【０００６】
前記課題を解決するために、請求項１に係るノズルは、中空構造の流体流路を形成する胴体と、前記胴体に併設された筒体とを備え、前記胴体には、前記流体流路に連なる流体導入口が形成され、前記筒体には、前記胴体の流体流路に導入された流体を噴射するための噴射口が形成され、前記筒体外周面には、環状のねじ部が形成されてなる構成とした。
【０００７】
（作用）ノズルを取り付け対象に取り付けるに際して、取り付け対象に筒体外周面のねじ部と螺合可能なねじ部が形成されているときには、取り付け対象のねじ部に筒体外周面のねじ部を噛み合せた状態で、胴体を回転させると、取り付け対象のねじ部と筒体外周面のねじ部との螺合により、ノズルを取り付け対象に簡単に取り付けることができる。
【０００８】
一方、取り付け対象に筒体外周面のねじ部と螺合可能なねじ部がなく、取り付け対象に筒体が挿入可能な貫通孔が形成されているときには、取り付け対象の貫通孔内に筒体を挿入し、貫通孔から突出した筒体外周面のねじ部に締結部材を装着し、筒体外周面のねじ部に締結部材のねじ部を噛み合せた状態で、締結部材を回転させると、締結部材のねじ部と筒体外周面のねじ部との螺合により、ノズルを取り付け対象に簡単に取り付けることができる。
【０００９】
請求項２に係るノズルは、請求項１に記載のノズルにおいて、前記胴体のうち前記筒体に隣接する部位は、前記筒体よりも径の大きい大径部として形成され、前記大径部のうち前記筒体との境界に位置する環状面は、前記胴体を取り付け対象に取り付けるときの取り付け面として形成されてなる構成とした。
【００１０】
（作用）ノズルを取り付け対象に取り付けるときに、胴体の環状面が取り付け対象の表面に密着するまで、胴体または締結部材を回すことで、ノズルを取り付け対象に確実に取り付けることができる。
【考案の効果】
【００１１】
以上の説明から明らかなように、請求項１に係るノズルによれば、アダプタを用いることなく、ノズルを取り付け対象に簡単に取り付けることができる。
【００１２】
請求項２によれば、ノズルを取り付け対象に確実に取り付けることができる。
【考案を実施するための最良の形態】
【００１３】
以下、本考案の実施形態を図面に基づいて説明する。図１は、本考案に係るノズルの取り付け構造を示す要部断面平面図、図２は、本考案に係るノズルの他の取り付け構造を示す要部断面平面図である。
【００１４】
図１において、ノズル１０は、中空構造の胴体１２と筒体１４を備え、胴体１２と筒体１４は、金属材料または樹脂材料を用いて一体に形成されている。
【００１５】
胴体１２は、略円筒状に形成されて、その中心部には流体流路１６が形成されている。胴体１２の長手方向一端側には、流体流路１６に液体を供給する液体供給管（図示せず）を胴体１２に連結するための連結部１８が形成され、長手方向他端側には筒体１４が併設されている。連結部１８には、液体供給管からの液体を導入する流体導入口１８ａが形成されている。この胴体１２は、筒体１４よりも径の大きい大径部として形成されており、胴体１２のうち筒体１４との境界に位置する環状面２０は、胴体１２を取り付け対象、例えば、ブラケット２２に取り付けるときの取り付け面として形成されている。また、胴体１２の外周面には、一対の凹状平坦部１２ａが形成されている。
【００１６】
筒体１４は、略円筒状に形成された円筒部１４ａと、円筒部１４ａに併設されて、円筒部１４ａから離れるに従って径が漸次小径となる、中空構造の尖頭部１４ｂを備え、円筒部１４ａと尖頭部１４ｂの内部には、流体流路１６に連なる流体流路（図示せず）が形成され、尖頭部１４ｂの中心には、円筒部１４ａの流体流路に連なる噴射口２４が形成されている。円筒部１４ａの外周面には、ブラケット２２のねじ部又は六角ナットのねじ部に螺合可能なねじ部２６が円環状に形成されている。
【００１７】
ノズル１０を取り付け対象、例えば、ブラケット２２に取り付けるに際しては、ブラケット２２の取り付け穴２２ａ内に筒体１４を挿入しながら、ねじ部２６を取り付け穴２２ａのねじ部に噛み合せる。この後、胴体１２の凹状平坦部１２ａにスパナ等の工具を装着し、ねじ部２６と取り付け穴２２ａのねじ部とが噛み合った状態で、胴体１２の環状面２０がブラケット２２の表面に密着するまで、工具で胴体１２を回すと、ノズル１０がブラケット２２に取り付けられて固定される。
【００１８】
この後、胴体１２の連結部１８に液体供給管を連結し、液体供給管からの液体を胴体１２に供給すると、この液体は、胴体１２の流体流路１６と筒体１４の流体流路を介して、尖塔部１４ｂの噴射口２４から外部に噴射される。
【００１９】
本実施例によれば、ノズル１０をブラケット２２に取り付けるに際して、筒体１４をブラケット２２の取り付け穴２２ａ内に挿入しながら、ねじ部２６を取り付け穴２２ａのねじ部に噛み合せ、この状態で、胴体１２の凹状平坦部１２ａにスパナ等の工具を装着し、胴体１２の環状面２０がブラケット２２の表面に密着するまで、工具で胴体１２を回して、ノズル１０をブラケット２２に取り付けるようにしたため、アダプタを用いることなく、ノズル１０をブラケット２２に簡単に、かつ確実に取り付けることができる。
【００２０】
次に、ブラケット２２よりも板厚が薄く、ねじ部２６と螺合可能なねじ部のないものを、ノズル１０の取り付け対象としたときの取り付け構造を図２に示す。
図２における取り付け構造は、ブラケット２２よりも板厚が薄く、ねじ部２６と螺合可能なねじ部のないブラケット２８をノズル１０の取り付け対象としたものであり、ノズル１０の構成は図１のものと同様である。なお、ブラケット２８には、ノズル１０の筒体１４が挿入可能な貫通孔２８ａが形成されている。
【００２１】
ブラケット２８にノズル１０を取り付けるに際しては、ブラケット２８の貫通孔２８ａ内に筒体１４を挿入し、筒体１４のねじ部２６に、締結部材としての六角ナット３０を装着し、六角ナット３０のねじ部を筒体１４のねじ部２６に螺合させ、胴体１２の環状面２０がブラケット２８の表面に密着するまで、六角ナット３０を回して、ノズル１０をブラケット２８に取り付ける。
【００２２】
本実施例によれば、ブラケット２８の貫通孔２８ａ内に筒体１４を挿入し、筒体１４のねじ部２６に六角ナット３０を装着し、六角ナット３０のねじ部を筒体１４のねじ部２６に螺合させ、胴体１２の環状面２０がブラケット２８の表面に密着するまで、六角ナット３０を回して、ノズル１０をブラケット２８に取り付けるようにしたため、アダプタを用いることなく、六角ナット３０を用いるだけで、ノズル１０をブラケット３０に簡単に、かつ確実に取り付けることができる。
【図面の簡単な説明】
【００２３】
【図１】本考案に係るノズルの取り付け構造を示す要部断面平面図である。
【図２】本考案に係るノズルの他の取り付け構造を示す要部断面平面図である。
【符号の説明】
【００２４】
１０  ノズル
１２  胴体
１４  筒体
１６  流体流路
１８  連結部
２０  環状面
２２  ブラケット
２４  噴射口
２６  ねじ部
２８  ブラケット
３０  六角ナット
【図１】
0003136215.tif 000003
【図２】
0003136215.tif 000004